(57)【特許請求の範囲】
【請求項１】
紙状体の少なくとも一方の面上に粉体成分を設けてなる口紅抑え紙であって、
上記粉体成分が少なくとも粉体と結合剤を含むものであって、該粉体成分中に、前記粉体としてタルク、セリサイト、雲母、白雲母、合成雲母、シリカ、ポリアミド樹脂粉末（ナイロン粉末）、ポリエチレン粉末、ポリメタクリル酸メチル粉末、ポリスチレン粉末、およびスチレンとアクリルン酸の共重合体樹脂の中から選ばれる１種または２種以上を８５〜９９．８重量％含有し、前記結合剤としてセルロース誘導体、水溶性高分子、水分散性高分子、水膨潤性物質の中から選ばれる１種または２種以上を０．２〜１．５重量％含有し、
前記口紅抑え紙を粉体面を下面にして黒色ラシャ紙上に載置し、荷重８０ｇ／ｃｍ２にて押圧、摩擦して上記粉体を黒色ラシャ紙上に転着させた場合の、該転着後黒色ラシャ紙のＹ値（ＣＩＥ１９３１標準表色系）が実質的に６．０〜２０．０であり；かつ上記粉体１０ｇとスクワラン１０ｇとの混合物スラリーをクリプトメーターにて測定（ＪＩＳ  Ｋ  ５１０１−１９７８に準ずる）した下記の数１
【数１】
0003669643.tif 000006
（式中、ｄ：粉体比重、Ｖ：スクワラン容積（ｍｌ）、ｈ：ガラス板枕厚さ（ｃｍ）、Ｘ：計測値（ｃｍ）を示す）
で表される隠蔽力測定値が２５．０（ｃｍ２／ｇ）以下であることを特徴とする口紅抑え紙。
【請求項２】
粉体成分中に、二酸化チタンおよび微粒子二酸化チタンを実質的に含まない、請求項１記載の口紅抑え紙。
【請求項３】
上記粉体の粒径が３〜４０μｍである、請求項１または２記載の口紅抑え紙。
【発明の詳細な説明】
【０００１】
【産業上の利用分野】
本発明は口紅抑え紙に係り、さらに詳しくは、口紅本来の色合いを損なわず、しかも口紅にマット感を付与し得るとともに、口紅のもちを向上させて二次付着を防止することのできる口紅抑え紙に関する。
【０００２】
【従来の技術】
紙状体に粉体成分を設けてなるいわゆる紙状化粧料は、携帯に便利でしかも手軽に使用できるため、例えば旅行先や外出時の化粧直し等に重宝なものとして用いられている。これら紙状化粧料としては、例えば、顔面に浮出した脂分を吸い取り化粧効果をより高める紙白粉や紙頬紅等が従来より用いられている。
【０００３】
一方、口紅を使用する際、口紅が食器等の他物へ付着する（二次付着）のを防止するために、口紅を唇に塗った後、粉体を口紅上に転着させて口紅のもちをよくする方法が一般に知られている。
【０００４】
したがって、粉体成分を設けた紙状化粧料を用いて、これを口紅に軽く押し当てて粉体を有効に転着せしめることができれば、場所や時を選ばずに、手軽に口紅抑えにより口紅のもちをよくし、二次付着の防止を図ることができると考えられる。
【０００５】
しかるに、紙白粉など従来からの紙状化粧料のものでは粉体の紙状体への付着力が強く、これらを用いて口紅抑えを行おうとすると、口紅のもちをよくし二次付着を有効に防止し得るに十分でしかも適度な程度に粉体を口紅へ転着させることができず、また口紅にマットな感じを付与せしめることができない。また、紙白粉や紙頬紅等に用いられている粉体では隠蔽力が強過ぎ、これらの粉体を口紅に転着させた場合、口紅本来の色あいを発揮せしめることができないという問題点もある。
【０００６】
なお、口紅抑え用シートが、例えば実開平５−９４１４号公報等に提案されている。しかしながら同公報で具体的に開示されているものは、油性成分により紙上へ粉末をスプレー添着したもので、かかる口紅抑え用シートは紙から粉が離脱しやすく、使用時、必要以上に粉が唇へ転着してしまい口紅本来の色合いを損なうという問題や、また、携帯時などにおいて振動等の外的力により紙から粉が落ちてしまいやすいという不具合がある。
【０００７】
【発明が解決しようとする課題】
本発明は上記事情に鑑みてなされたもので、口紅本来の色合いを損なわず、しかも口紅にマット感を付与し得るとともに、口紅のもちを向上させて二次付着を防止することのできる口紅抑え紙を提供することを目的とする。
【０００８】
【課題を解決するための手段】
本発明者らは、上記課題を解決するために鋭意研究を行った結果、紙状体への粉体の付着力を所定の値の範囲とするとともに、粉体の隠蔽力を所定の値以下とすることにより、口紅のもちを向上させて二次付着を防止し得るに十分な程度に粉体を口紅へ転着せしめることができるとともに、口紅本来の色合いを発揮し得るに十分な程度の透明度も得ることができ、これにより上記目的を達成し得ることを見出し、本発明を完成するに至った。
【０００９】
すなわち本発明によれば、紙状体の少なくとも一方の面上に粉体成分を設けてなる口紅抑え紙であって、
上記粉体成分が少なくとも粉体と結合剤を含むものであって、該粉体成分中に、前記粉体としてタルク、セリサイト、雲母、白雲母、合成雲母、シリカ、ポリアミド樹脂粉末（ナイロン粉末）、ポリエチレン粉末、ポリメタクリル酸メチル粉末、ポリスチレン粉末、およびスチレンとアクリルン酸の共重合体樹脂の中から選ばれる１種または２種以上を８５〜９９．８重量％含有し、前記結合剤としてセルロース誘導体、水溶性高分子、水分散性高分子、水膨潤性物質の中から選ばれる１種または２種以上を０．２〜１．５重量％含有し、
前記口紅抑え紙を粉体面を下面にして黒色ラシャ紙上に載置し、荷重８０ｇ／ｃｍ２にて押圧、摩擦して上記粉体を黒色ラシャ紙上に転着させた場合の、該転着後黒色ラシャ紙のＹ値（ＣＩＥ１９３１標準表色系）が実質的に６．０〜２０．０であり；かつ上記粉体１０ｇとスクワラン１０ｇとの混合物スラリーをクリプトメーターにて測定（ＪＩＳ  Ｋ  ５１０１−１９７８に準ずる）した下記の数１
【数１】
0003669643.tif 000002
（式中、ｄ：粉体比重、Ｖ：スクワラン容積（ｍｌ）、ｈ：ガラス板枕厚さ（ｃｍ）、Ｘ：計測値（ｃｍ）を示す）
で表される隠蔽力測定値が２５．０（ｃｍ２／ｇ）以下であることを特徴とする口紅抑え紙が提供される。
【００１０】
【数２】
0003669643.tif 000003
（式中、ｄ：粉体比重、Ｖ：スクワラン容積（ｍｌ）、ｈ：ガラス板枕厚さ（ｃｍ）、Ｘ：計測値（ｃｍ）を示す）
で表される隠蔽力測定値が２５．０（ｃｍ2 ／ｇ）以下であることを特徴とする口紅抑え紙が提供される。
【００１１】
以下、本発明について詳述する。
【００１２】
本発明の口紅抑え紙は、使用時、口紅上への粉体の転着が二次付着を防止し得る程度に適度になされ、かつ隠蔽力が弱いという特性を併せもつ。
【００１３】
まず、粉体の適度な転着力に関し、本願発明では、該口紅抑え紙を粉体面を下面にして黒色ラシャ紙上に載置し、荷重８０ｇ／ｃｍ2 にて押圧、摩擦して上記粉体を黒色ラシャ紙上に転着させた場合の、該転着後ラシャ紙のＹ値（ＣＩＥ１９３１標準表色系）が実質的に６．０〜２０．０であることが必要である。具体的には、口紅抑え紙を黒色ラシャ紙上に載せ（０地点）、これを荷重８０ｇ／ｃｍ2 にて押圧し、この荷重のまま該０地点から速度５ｃｍ／ｓｅｃにて口紅抑え紙を黒色ラシャ紙上に一方向に動かした場合の、該０地点から１ｃｍ離れた地点における粉体転着後黒色ラシャ紙のＹ値（＝Ｙ（０））を測定する。ここで「Ｙ値」とは、ＣＩＥ１９３１標準表色系による表色方法における明度（Ｙ値）を表す。ＣＩＥ１９３１標準表色系（ＸＹＺ表色系ともいう）は、国際照明委員会（ＣＩＥ）で認められている表色法で、これは色を直交するＸ、Ｙ、Ｚの３軸の刺激値で表す方式で、Ｙ軸が色の明度を示し、Ｙ軸に垂直な面上のＸ、Ｚ軸が色相や彩度を表現するものである。本発明ではこのＹ値が実質的に６．０〜２０．０であるが、ここで「実質的に」とは、黒色ラシャ紙自身がもつＹ値（＝Ｙ（ブランク））を差し引いた、黒色ラシャ紙上に転着された粉体自体のもつＹ値を指すことを意味する（すなわちＹ（０）−Ｙ（ブランク））。この転着後Ｙ値が６．０未満では実際に唇に使用した場合に粉体の付着量が十分でなく、二次付着防止効果が得られず、一方、２０．０を超えると粉体の転着が多過ぎ口紅本来の色合いが損なわれ、また、携帯に伴う摩擦により粉体が紙状体より脱落し収容容器を汚す等の問題が生じる。
【００１４】
黒色ラシャ紙は、黒色のもので、ラシャ紙として市販されているものであれば、特に制限されることなく任意に用いることができる。
【００１５】
なお、上記転着後黒色ラシャ紙のＹ値は、粉体の転着の程度を示すとともに、粉体自体の隠蔽力の強さを示もまた示す。すなわち、粉体の転着力が強ければＹ値がそれだけ高くなるのはもちろんであるが、隠蔽力の高い粉体を使用すれば同じ転着力のものでもそれだけＹ値が高くなることになる。そのため本発明では、さらに粉体自体の隠蔽力が弱いことを必須条件として、透明度の確保を図ろうとするものである。
【００１６】
すなわち、粉体の隠蔽力のなさ（透明性）について、本願発明では、上記粉体１０ｇとスクワラン１０ｇとの混合物スラリーをクリプトメーターにて測定（ＪＩＳ  Ｋ  ５１０１−１９７８に準ずる）した上記数２で表される隠蔽力測定値が２５．０（ｃｍ2 ／ｇ）以下であることが必要である。なお、本願発明の測定においては、「ＪＩＳ  Ｋ  ５１０１−１９７８」で用いられるアマニ油（屈折率ｎo ＝１．４８）に代えてスクワラン（屈折率ｎ＝１．４５〜１．４６）を用いた。この隠蔽力測定値が２５．０超では、口紅の色が白っぽく見え、口紅本来の色合いが損なわれてしまう。
【００１７】
本発明においては、粉体は上記条件をともに満足するものであれば、特に制限されることなく、通常の紙状化粧料に用いられ得るものなら任意に使用し得る。例えば、体質顔料、着色顔料等が挙げられ、その具体例としては、タルク、カオリン、雲母、セリサイト、白雲母、金雲母、合成雲母、紅雲母、黒雲母、リチア雲母、バーミキュライト、炭酸マグネシウム、炭酸カルシウム、ケイ酸マグネシウム、ケイ酸カルシウム、ケイ酸アルミニウム、ケイ酸バリウム、硫酸バリウム、ケイ酸ストロンチウム、タングステン酸金属塩、シリカ、ゼオライト、硫酸バリウム、焼成硫酸カルシウム（焼セッコウ）、リン酸カルシウム、フッ素アパタイト、ヒドロキシアパタイト、セラミックパウダー、金属石鹸（ミリスチン酸亜鉛、パルミチン酸カルシウム、ステアリン酸アルミニウム）、窒化ホウ素等の無機粉末、ポリアミド樹脂粉末（ナイロン粉末）、ポリエチレン粉末、ポリメタクリル酸メチル粉末、ポリスチレン粉末、スチレンとアクリル酸の共重合体樹脂粉末、ベンゾグアナミン樹脂粉末、ポリ四フッ化エチレン粉末、セルロース粉末等の有機粉末、酸化亜鉛等の無機白色顔料、酸化鉄（ベンガラ）、チタン酸等の無機赤色系顔料、γ−酸化鉄等の無機褐色顔料、黄酸化鉄、黄土等の無機黄色系顔料、黒酸化鉄、カーボンブラック、低次酸化チタン等の無機黒色系顔料、マンゴバイオレット、コバルトバイオレット等の無機紫色系顔料、酸化クロム、水酸化クロム、チタン酸コバルト等の無機緑色系顔料、群青、紺青等の無機青色系顔料、酸化チタンコーテッドマイカ、オキシ塩化ビスマス、酸化チタンコーテッドオキシ塩化ビスマス、酸化チタンコーテッドタルク、着色酸化チタンコーテッドマイカ、魚鱗泊等のパール顔料、アルミニウムパウダー、カッパーパウダー等の金属粉末顔料、赤色２０１号、赤色２０２号、赤色２０４号、赤色２０５号、赤色２１０号、赤色２２０号、赤色２２６号、赤色２２８号、赤色４０５号、橙色２０３号、橙色２０４号、黄色２０５号、黄色４０１号、および青色４０４号等の有機顔料、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号および青色１号等のジルコニウム、バリウムまたはアルミニウムレーキ等の有機顔料、クロロフィル、β−カロリン等の天然色素等の粉末が例示される。これらは１種を用いてもよいし２種以上を用いてもよい。ただし、一般の化粧品に適用できる粉体であればよく、上記の成分に限定されるものではない。ただし本発明では、粉体としてタルク、セリサイト、雲母、白雲母、合成雲母、シリカ、ポリアミド樹脂粉末（ナイロン粉末）、ポリエチレン粉末、ポリメタクリル酸メチル粉末、ポリスチレン粉末、およびスチレンとアクリルン酸の共重合体樹脂の中から選ばれる１種または２種以上が必須成分として用いられる。
【００１８】
本発明の口紅抑え紙の製造方法は特に限定されないが、例えば、上記粉体を結合剤とともに水および／または含水アルコールに分散してスラリー状の塗工用組成物とし、これを専用の紙状体上に塗工後、乾燥して得られる。含水アルコールを用いる場合、炭素数３以下の脂肪族アルコールで含水率１％以上のものが好ましい。
【００１９】
ここで粉体は、塗工用組成物全量に対し、８５〜９９．８％重量％程度配合される。より好ましくは９０〜９９．５重量％配合されるが、粉体の大きさ、材質等に応じて上記範囲内で適宜好ましい配合量を選択し得る。また、粉体の粒径は３〜４０μｍ、より好ましくは５〜２０μｍ程度のものが好適に用いられるが、仕上がりのマット感、粉のすべり感等に応じて上記範囲内で適宜好ましい粒径のものを選択し得る。一般に本発明で用いられる粉体の粒径の大きさは、従来の紙白粉、紙頬紅等で用いられている粉体の粒径に比べて大きい。
【００２０】
結合剤としては、特に制限されることはないが、例えばカルボキシメチルセルロース、メチルセルロース、ハイドロキシエチルセルロース等のセルロース誘導体、ポリビニルアルコール、ポリビニルピロリドン等の水溶性高分子、酢酸ビニルエマルジョン、アクリル系エマルジョン等の水分散性高分子、マグネシウムアルミニウムシリケート、ナトリウムマグネシウムシリケート等の水膨潤性物質の中から選ばれる。これらは１種を用いてもよいし、２種以上を用いてもよい。ただし一般の化粧品に適用できる水溶性高分子、水分散性高分子および水膨潤性物質であればよく、上記の成分により限定されるものではない。
【００２１】
この結合剤は、塗工用組成物全量に対し、０．２〜１．５重量％程度配合され、より好ましくは０．５〜１．２重量％配合されるが、塗工する量、粉体の種類等に応じて上記範囲内で適宜好ましい配合量を選択し得る。
【００２２】
本発明においては、紙状体に塗工する組成物には、上記成分に加えて、油性成分、界面活性剤、分散剤、紫外線吸収剤、酸化防止剤、防腐剤、保湿剤、香料、薬効成分、増粘剤、金属イオン封鎖剤等を本発明の効果を損なわない質的および量的範囲で配合することができる。
【００２３】
油性成分としては、一般に化粧品に配合されるものならいずれも用いることができ、例えばアボガド油、ツバキ油、マカデミアナッツ油、オリーブ油、ナタネ油、卵黄油、ゴマ油、小麦胚芽油、ヒマシ油、サフラワー油、綿実油、大豆油、茶実油、コメヌカ油、ホホバ油、胚芽油、トリグリセリン、トリオクタン酸グリセリン、トリイソパルミチン酸グリセリン、流動パラフィン、リンゴ酸ジイソステアリル、イソステアリルアルコール、イソプロピルミリステート、２−オクチルドデシルオレエート、ジメチルポリシロキサン、フッ素変性油等が挙げられるが、これらに限定されるものではない。
【００２４】
界面活性剤は、粉体を水に分散してスラリー状に塗布する場合は分散剤として重要である。用いられ得る界面活性剤としては、一般に化粧品に配合されるものならいずれも用いることができ、例えばアニオン界面活性剤、カチオン界面活性剤、両性界面活性剤、親油性非イオン界面活性剤、親水性非イオン界面活性剤等が挙げられる。これら界面活性剤は、粉体を水に分散させることを主目的で用いる場合には、ＨＬＢ＝４〜１８が望ましい。
【００２５】
アニオン界面活性剤としては、セッケン用素地、ラウリン酸ナトリウム、パルミチン酸ナトリウム等の脂肪酸セッケン、ラウリル硫酸ナトリウム、ラウリル硫酸カリウム等の高級アルキル硫酸エステル塩、ＰＯＥラウリル硫酸トリエタノールアミン、ＰＯＥラウリル硫酸ナトリウム等のアルキルエーテル硫酸エステル塩、ラウロイルサルコシンナトリウム等のＮ−アシルサルコシン酸、Ｎ−ミリストイル−Ｎ−メチルタウリンナトリウム、ヤシ油脂肪酸メチルタウリッドナトリウム、ラウリルメチルタウリッドナトリウム等の高級脂肪酸アミドスルホン酸塩、ＰＯＥオレイルエーテルリン酸ナトリウム、ＰＯＥステアリルエーテルリン酸等のリン酸エステル塩、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウム等のスルホコハク酸塩、リニアドデシルベンゼンスルホン酸ナトリウム、リニアドデシルベンゼンスルホン酸トリエタノールアミン、リニアドデシルベンゼンスルホン酸等のアルキルベンゼンスルホン酸塩、Ｎ−ラウロイルグルタミン酸モノナトリウム、Ｎ−ステアロイルグルタミン酸ジナトリウム、Ｎ−ミリストイル−Ｌ−グルタミン酸モノナトリウム等のＮ−アシルグルタミン酸塩、硬化ヤシ油脂肪酸グリセリン硫酸ナトリウム等の高級脂肪酸エステル硫酸エステル塩、ロート油等の硫酸化油、ＰＯＥアルキルエーテルカルボン酸、ＰＯＥアルキルエーテルカルボン酸塩、α−オレフィンスルホン酸塩、高級脂肪酸エステルスルホン酸塩、二級アルコール硫酸エステル塩、高級脂肪酸アルキロールアミド硫酸エステル塩、ラウロイルモノエタノールアミドコハク酸ナトリウム、Ｎ−パルミトイルアスパラギン酸ジトリエタノールアミン、カゼインナトリウム等が例示される。
【００２６】
カチオン界面活性剤としては、例えば、塩化ステアリルトリメチルアンモニウム、塩化ラウリルトリメチルアンモニウム等のアルキルトリメチルアンモニウム塩、塩化ジステアリルジメチルアンモニウムジアルキルジメチルアンモニウム塩、塩化ポリ（Ｎ，Ｎ’−ジメチル−３，５−メチレンピペリジニウム）、塩化セチルピリジニウム等のアルキルピリジニウム塩、アルキル四級アンモニウム塩、アルキルジメチルベンジルアンモニウム塩、アルキルイソキノリニウム塩、ジアルキルモリホニウム塩、ＰＯＥアルキルアミン、アルキルアミン塩、ポリアミン脂肪酸誘導体、アミルアルコール脂肪酸誘導体、塩化ベンザルコニウム、塩化ベンゼトニウム等が例示される。
【００２７】
両性界面活性剤としては、例えば、２−ウンデシル−Ｎ，Ｎ，Ｎ−（ヒドロキシエチルカルボキシメチル）−２−イミダゾリンナトリウム、２−ココイル−２−イミダゾリニウムヒドロキシド−１−カルボキシエチルオキシ−２ナトリム塩等のイミダゾリン系両性界面活性剤、２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、スルホベタイン等のベタイン系界面活性剤等が例示される。
【００２８】
親油性非イオン界面活性剤としては、モノオレイン酸ソルビタン、モノイソステアリン酸ソルビタン、モノラウリン酸ソルビタン、モノパルミチン酸ソルビタン、モノステアリン酸ソルビタン、セスキオレイン酸ソルビタン、トリオレイン酸ソルビタン、ペンタ−２−エチルヘキシル酸ジグリセロールソルビタン、テトラ−２−エチルヘキシル酸ジグリセロールソルビタン等のソルビタン脂肪酸エステル類、モノ綿実油脂肪酸グリセリン、モノステアリン酸ジグリセン等の（ポリ）グリセリン脂肪酸類、モノステアリン酸プロピレングリコール等のプロピレングリコール脂肪酸エステル類、硬化ヒマシ油誘導体類、グリセリンアルキルエーテル類等が例示される。
【００２９】
親水性非イオン界面活性剤としては、ＰＯＥソルビタンモノオレエート、ＰＯＥソルビタンモノステアレート、ＰＯＥソルビタンモノラウレート、ＰＯＥソルビタンテトラオレエート等のＰＯＥソルビタン脂肪酸エステル類、ＰＯＥソルビットモノラウレート、ＰＯＥソルビットモノオレエート、ＰＯＥソルビットペンタオレエート、ＰＯＥソルビットモノステアレート等のＰＯＥソルビット脂肪酸エステル類、ＰＯＥグリセリンモノステアレート、ＰＯＥグリセリントリイソステアレート等のＰＯＥグリセリン脂肪酸エステル類、ＰＯＥモノオレエート等のＰＯＥ脂肪酸エステル類、ＰＯＥラウリルエーテル等のＰＯＥアルキルエーテル類、ＰＯＥオクチルフェニルエーテル等のＰＯＥアルキルフェニルエーテル類、ＰＯＥ・ＰＯＰセチルエーテル等のＰＯＥ・ＰＯＰアルキルエーテル類、テトラＰＯＥ・テトラＰＯＥエチレンジアミン縮合物類、ＰＯＥヒマシ油または硬化ヒマシ油誘導体、ＰＯＥミツロウ・ラノリン誘導体、ラウリン酸モノエタノールアミド等のアルカノールアミド類、ＰＯＥプロピレングリコール脂肪酸エステル、ＰＯＥアルキルアミン、ＰＯＥ脂肪酸アミド、ショ糖脂肪酸エステル、ＰＯＥニノルフェニルホルムアルデヒド縮合物、ルキルエトキシジメチルアミンオキシド、トリオリイルリン酸等が挙げられる。
【００３０】
またこのほかに、通常の分散剤として、ＥＤＴＡ−３Ｎａ−２Ｈ2 Ｏ、ヘキサメタリン酸ソーダ等が用いられ得るが、これらに限定されるものでない。
【００３１】
紙状体としては、一般に紙状化粧料に用いられている紙状体であれば特に制限されることなく任意に使用することができ、具体的には、植物繊維からなる紙類、植物繊維中に透明合成樹脂繊維体（例えば、ポリエチレン、ポリプロピレン等のポリオレフィン樹脂、など）を配合した紙類等が挙げられるが、これらに限定されるものではない。
【００３２】
【実施例】
次に、本発明を実施例によりさらに詳細に説明するが、本発明はこれによってなんら限定されるものではない。なお、配合量はすべて重量％である。
【００３３】
実施例に先立ち、各実施例で採用した試験法、評価法を説明する。
【００３４】
［転着性試験］
縦６ｃｍ×横５０ｃｍの黒色のラシャ紙（日清紡（株）製）を平面上に置き、この上に下記の実施例１〜６、比較例１〜５に示す処方からなる試料を縦５ｃｍ×横１０ｃｍに切断し、これを粉体面が下を向くように置いた。この口紅抑え紙上に、縦５ｃｍ×横４．５ｃｍの化粧品用スポンジを置き、さらにこのスポンジ上に４ポンド（＝１８１２ｇ）の鉄製の重りを置き、口紅抑え紙を５ｃｍ／秒の速度で黒色ラシャ紙が動かないようにして横方向に引っ張った。次いで重りをはずして、スポンジの端から１ｃｍの地点（０地点）における、粉体が転着された黒色ラシャ紙のＹ値（Ｙ（０））をカラーアナライザー（ミノルタ（株）製、ＣＭ−１０００）にて測定した。
【００３５】
なお、上記黒色ラシャ紙自身のＹ値（Ｙ（ブランク））を測定したところ、５．３８であった。
【００３６】
［隠蔽力評価試験］
下記の実施例１〜６、比較例１〜５に示す処方からなる塗工用組成物１０ｇとスクワラン１０ｇとを混合させてスラリーとしたものをフンド式クリプトメーターにて、ＪＩＳ  Ｋ  ５１０１−１９７８に準じて測定し、上記数２で表される隠蔽力測定値を算出した。
【００３７】
実施例１
（処  方）                                          （重量％）
カルボキシメチルセルロース                                  ０．３
分散剤                                                      適  量
モノオレイン酸ポリオキシエチレンソルビタン( 20 E.O.)        ４．８
体質顔料
タルク（平均粒径１３μｍ）                              ６９．２
タルク（平均粒径５μｍ）                                ２４．９
着色顔料
赤色２２６号                                            ０．０１
上記組成（乾燥後重量）からなる粉体を紙状体（マニラ麻：ＳＷＰ（合成パルプ）＝７０：３０、坪量２０ｇ／ｍ2 ）上に設けたものを試料として用いた（塗工量１２．０ｇ／ｍ2 ）。
【００３８】
実施例２
（処  方）                                          （重量％）
カルボキシメチルセルロース                                  ０．５
分散剤                                                      適  量
モノオレイン酸ポリオキシエチレンソルビタン( 20 E.O.)        ４．８
体質顔料
タルク（平均粒径１３μｍ）                              ６９．２
タルク（平均粒径５μｍ）                                ２４．９
着色顔料
赤色２２６号                                            ０．０１
上記組成（乾燥後重量）からなる粉体を紙状体（マニラ麻：ＳＷＰ（合成パルプ）＝７０：３０、坪量２０ｇ／ｍ2 ）上に設けたものを試料として用いた（塗工量１２．０ｇ／ｍ2 ）。
【００３９】
実施例３
（処  方）                                          （重量％）
カルボキシメチルセルロース                                  ０．９
分散剤                                                      適  量
モノオレイン酸ポリオキシエチレンソルビタン( 20 E.O.)        ４．８
体質顔料
タルク（平均粒径１３μｍ）                              ６８．８
タルク（平均粒径５μｍ）                                ２４．９
着色顔料
赤色２２６号                                            ０．０１
上記組成（乾燥後重量）からなる粉体を紙状体（マニラ麻：ＳＷＰ（合成パルプ）＝７０：３０、坪量２０ｇ／ｍ2 ）上に設けたものを試料として用いた（塗工量１２．０ｇ／ｍ2 ）。
【００４０】
実施例４
（処  方）                                          （重量％）
カルボキシメチルセルロース                                  １．２
分散剤                                                      適  量
モノオレイン酸ポリオキシエチレンソルビタン( 20 E.O.)        ４．８
体質顔料
タルク（平均粒径１３μｍ）                              ６８．５
タルク（平均粒径５μｍ）                                ２４．９
着色顔料
赤色２２６号                                            ０．０１
上記組成（乾燥後重量）からなる粉体を紙状体（マニラ麻：ＳＷＰ（合成パルプ）＝７０：３０、坪量２０ｇ／ｍ2 ）上に設けたものを試料として用いた（塗工量１２．０ｇ／ｍ2 ）。
【００４１】
実施例５
（処  方）                                          （重量％）
カルボキシメチルセルロース                                  １．５
分散剤                                                      適  量
モノオレイン酸ポリオキシエチレンソルビタン( 20 E.O.)        ４．８
体質顔料
タルク（平均粒径１３μｍ）                              ６８．２
タルク（平均粒径５μｍ）                                ２４．９
着色顔料
赤色２２６号                                            ０．０１
上記組成（乾燥後重量）からなる粉体を紙状体（マニラ麻：ＳＷＰ（合成パルプ）＝７０：３０、坪量２０ｇ／ｍ2 ）上に設けたものを試料として用いた（塗工量１２．０ｇ／ｍ2 ）。
【００４２】
比較例１
（処  方）                                          （重量％）
カルボキシメチルセルロース                                  １．５
分散剤                                                      適  量
モノオレイン酸ポリオキシエチレンソルビタン（２０Ｅ．Ｏ．）  ６．３
防腐剤                                                      適  量
体質顔料
微粒子二酸化チタン（平均粒径０．０２〜０．０３μｍ） ７．６
二酸化チタン（平均粒径０．３μｍ）                      １９．２
カオリン（平均粒径２〜３μｍ）                          ６２．５
着色顔料
黄酸化鉄                                                  ０．９
赤酸化鉄                                                  ０．５
群青                                                      ０．０６
香料                                                        適  量
上記組成（乾燥後重量）からなる粉体を、実施例１で用いたのと同じ紙状体上に設けたものを比較試料として用いた（塗工量７．０ｇ／ｍ２）。
【００４３】
実施例６
（処  方）                                          （重量％）
ポリビニルアルコール                                        ０．６
ポリオキシエチレン（６０）硬化ヒマシ油                      ５．０
球状シリカ                                                １０．０
球状ナイロン                                              １０．０
セリサイト                                                ７４．４
上記組成（乾燥後重量）からなる粉体を水２００部に分散し、紙状体（マニラ麻：ＳＷＰ（合成パルプ）＝８０：２０、坪量２３ｇ／ｍ2 ）上乾燥後８．０ｇ／ｍ2 の塗工量になるように塗布した後、乾燥し、口紅抑え紙（試料）を得た。
【００４４】
比較例２
（処  方）                                          （重量％）
カルボキシメチルセルロース                                  １．５
分散剤                                                      適  量
トリステアリン酸ポリオキシエチレンソルビタン(20 E.O.)       ６．５
防腐剤                                                      適  量
紫外線防止剤                                                ０．５
体質顔料
微粒子二酸化チタン（平均粒径0.02〜0.03μｍ）              ７．０
二酸化チタン（平均粒径０．３μｍ）                      ２０．０
カオリン（平均粒径２〜３μｍ）                          ６３．０
着色顔料
黄酸化鉄                                                  ０．９
赤酸化鉄                                                  ０．５
群青                                                      ０．１
香料                                                        適  量
上記組成（乾燥後重量）からなる粉体を、実施例１で用いたのと同じ紙状体上に設けたものを比較試料として用いた（塗工量１２．０ｇ／ｍ2 ）。
【００４５】
比較例３
（処  方）                                          （重量％）
カルボキシメチルセルロース                                  ２．０
分散剤                                                      適  量
トリステアリン酸ポリオキシエチレンソルビタン(20 E.O.)       ６．５
防腐剤                                                      適  量
体質顔料
二酸化チタン（平均粒径０．３μｍ）                      ２５．０
カオリン（平均粒径２〜３μｍ）                          ６４．０
着色顔料
黄酸化鉄                                                  １．７
赤酸化鉄                                                  ０．７
群青                                                      ０．１
香料                                                        適  量
上記組成（乾燥後重量）からなる粉体を、実施例１で用いたのと同じ紙状体上に設けたものを比較試料として用いた（塗工量８．０ｇ／ｍ2 ）。
【００４６】
比較例４
（処  方）                                          （重量％）
タルク                                                      ３５．０
マイカ                                                    ５０．０
カオリン                                                  １０．０
着色色素                                                    適  量
ワセリン                                                    ２．０
流動パラフィン                                              ３．０
上記各成分をヘンシルミキサーで混合後、フロン１１との比が２：８の重量比になるようにスプレー管に充填した。これを、実施例１で用いたのと同じ紙状体に粉末が５０ｇ／ｍ2 となるように噴霧、乾燥し、比較試料として用いた。なおこれは、実公平５−９４１４号公報に記載の実施例のものと同一処方によるものである。
【００４７】
比較例５
（処  方）                                          （重量％）
ハイドロキシエチルセルロース                                １．２
タルク（平均粒径１３μｍ）                                ９２．８
二酸化チタン（平均粒径０．３μｍ）                          ４．０
分散剤                                                      適  量
ポリオキシエチレン（８０モル）硬化ヒマシ油                  ２．０
香料                                                        適  量
上記組成（乾燥後重量）からなる粉体を水２００部に分散し、紙状体（マニラ麻：ＳＷＰ（合成パルプ）＝８０：２０、坪量２３ｇ／ｍ2 ）上乾燥後１４．０ｇ／ｍ2 の塗工量になるように塗布した後、乾燥し、口紅抑え紙（比較試料）を得た。
【００４８】
上記各試料、比較試料を用いて、上述の試験方法によって、転着性試験、隠蔽力評価試験を行った。結果を表１に示す。
【００４９】
【表１】
0003669643.tif 000004
また、これら各試料を用いて、専門パネル２０名による５段階評価を行い、各パネルの平均値に基づき評価した。
［粉体の付き、マット感、口紅の色変化］
唇に口紅を塗布した後、各試料、比較試料を唇に軽く押えて使用し、使用後の状態を各パネル自身が鏡で観察した状態を下記の基準に従って５段階評価した。
（粉体の付きの評価）
１…  口紅への粉体の付きが少ない
２…  口紅への粉体の付きがやや少ない
３…  口紅への粉体の付きが適度である
４…  口紅への粉体の付きがやや多い
５…  口紅への粉体の付きが多い
（マット感の評価）
１…  マット感がまったく出なかった
２…  マット感がほとんど出なかった
３…  マット感がやや出た
４…  マット感が出た
５…  マット感が非常に出た
（口紅の色の変化）
１…  非常に色変化が生じた
２…  色変化を生じた
３…  わずかに色変化を生じた
４…  ほとんど色変化を生じなかった
５…  まったく色変化を生じなかった
［二次付着］
上記評価後に、白色コーヒーカップに唇を押し当てて、カップへの口紅の転写度合いにより、二次付着の評価を行った。
（二次付着の評価）
１…  たくさん転写した
２…  転写した
３…  わずかに転写した
４…  ほとんど転写しなかった
５…  まったく転写しなかった
上記の粉体の付き、マット感、口紅の色変化、二次付着の各評価点を以下のように点数化した。
〈マット感、口紅の色変化、二次付着〉
◎…    ４．５以上５．０以下
○…    ３．５以上４．５未満
○△…  ２．５以上３．５未満
△…    １．５以上２．５未満
×…    １．０以上１．５未満
〈粉体の付き〉
◎…    ２．７以上３．３未満
○…    ２．２以上２．７未満、３．３以上３．８未満
△…    １．５以上２．２未満、３．３以上４．５未満
×…    １．０以上１．５未満、４．５以上５．０以下
結果を表２に示す。
【００５０】
【表２】
0003669643.tif 000005
表１、表２の結果から明らかなように、本発明の口紅抑え紙は、使用時に口紅上への粉体の転着が適度に行われ、二次付着の防止、口紅の色変化、マット感のいずれにおいても優れた効果が得られるということがわかる。
【００５１】
【発明の効果】
以上詳述したように本発明によれば、口紅本来の色合いを損なわず、しかも口紅にマット感を付与し得るとともに、口紅のもちを向上させて二次付着を防止することのできる口紅抑え紙が提供されるという効果を奏する。